(57)【要約】【課題】写真データなどＩＣタグの容量を超える容量の画像データでも施工現場あるいはコンクリート構造物の検証現場でＩＣタグに入力でき、また現場で直接データの読出しが可能な工事画像データ記録システムおよび構造物埋設用データ記録ユニットを提供する。【解決手段】この工事画像データ記録システムは、コンクリート構造物内に埋め込まれ、工事画像データを記録するＩＣタグ２，２１と、このＩＣタグに対し工事画像データの書込み・読出しを行うリーダライタ３と、ＩＣタグに書込まれる工事画像データの容量最適化を行うとともにリーダライタで読出された工事画像データの復元を行うデータ処理装置１０と、工事画像データを表示する表示装置８およびデータ処理装置へ画像データを入力する撮影装置５とを有する。【選択図】      図３
2014118766.tif 000002
【特許請求の範囲】
【請求項１】
構造物内に埋め込まれるＩＣタグと、前記ＩＣタグに対し工事画像データの書込み・読出しを行うリーダライタと、前記ＩＣタグに書込まれる工事画像データの容量最適化を行うとともに前記リーダライタで読出された工事画像データの復元を行うデータ処理装置と、前記工事画像データを表示する表示装置および前記データ処理装置へ画像データを入力する撮影装置とを有することを特徴とする工事画像データ記録システム。
【請求項２】
前記データ処理装置は、前記ＩＣタグ内の不揮発性記憶装置の容量に収まるようにデータ圧縮処理をするデータ最適化手段を有し、前記データ最適化手段で圧縮した画像データを前記リーダライタから前記ＩＣタグに書込み、前記リーダライタで前記ＩＣタグから読出した圧縮データを前記データ最適化手段で復元して前記表示装置に表示することを特徴とする請求項１に記載の工事画像データ記録システム。
【請求項３】
前記データ処理装置は、前記ＩＣタグ内の不揮発性記憶装置の容量に収まるようにデータを複数に分割するデータ最適化手段を有し、前記データ最適化手段で分割した画像データを接続情報とともに複数の前記ＩＣタグに書込み、前記リーダライタで複数の前記ＩＣタグから読出した複数の分割データを前記データ最適化手段で前記接続情報に基づいて元の画像データに復元して前記表示装置に表示することを特徴とする請求項１に記載の工事画像データ記録システム。
【請求項４】
前記データ処理装置は、前記ＩＣタグ内の不揮発性記憶装置の容量に収まるようにデータを圧縮するとともに複数に分割するデータ最適化手段を有し、前記データ最適化手段でデータ圧縮、分割した画像データを接続情報とともに複数の前記ＩＣタグに書込み、前記リーダライタで複数の前記ＩＣタグから読出した複数の圧縮、分割データを前記データ最適化手段で前記接続情報に基づいて元の画像データに復元して前記表示装置に表示することを特徴とする請求項１に記載の工事画像データ記録システム。
【請求項５】
ＩＣタグを、コンクリートブロックに埋め込み、前記コンクリートブロックを構造物の所望箇所に埋設することを特徴とする構造物埋設用データ記録ユニット。
【請求項６】
前記ＩＣタグを、コンクリートブロックに対する向きを規定して該コンクリートブロック内に埋め込むことを特徴とする請求項５に記載の構造物埋設用データ記録ユニット。
【請求項７】
複数個のＩＣタグを、データの書込み、読出しに対して互いに干渉しない間隔で前記コンクリートブロックに埋め込むことを特徴とする請求項５または請求項６に記載の構造物埋設用データ記録ユニット。
【請求項８】
前記ＩＣタグにデータ圧縮処理された画像データが書込まれることを特徴とする請求項５乃至７のいずれかに記載の構造物埋設用データ記録ユニット。
【請求項９】
複数個の前記ＩＣタグにデータ分割処理された画像データが接続情報とともに書込まれることを特徴とする請求項５乃至８のいずれかに記載の構造物埋設用データ記録ユニット。
【請求項１０】
複数個の前記ＩＣタグにデータ圧縮処理とともにデータ分割処理された画像データが接続情報とともに書込まれることを特徴とする請求項５乃至９のいずれかに記載の構造物埋設用データ記録ユニット。
【請求項１１】
前記構造物はコンクリート構造物であることを特徴とする請求項５乃至１０のいずれかに記載の構造物埋設用データ記録ユニット。
【発明の詳細な説明】
【技術分野】
【０００１】
本発明は、セメント製品やモルタルその他コンクリート構造物の品質管理に用いられる工事画像データ記録システムおよび構造物埋設用データ記録ユニットに関する。
【背景技術】
【０００２】
例えば土木関連のモルタル、セメント製品やコンクリート構造物にあっては、経年後の点検、補修あるいは地震などの災害時に構造物の強度や工事の履歴などの情報を検証する必要がある。このような情報は従来、施工時の図面とともに書面に記録して管理しており、一般には建築物の施工者が各施工工事毎に施工工程を所定の台帳に記帳することにより工事報告書を作成している。工事報告書には工事現場の写真を添付するのが普通であるが、この写真データは撮影対象となる箇所に工事名称、日時、場所、工法などを記載したボードを配置して写真に撮り、この写真とともに所定事項を工事台帳に記載して工事報告書としている。しかし、このような方法では、書面を紛失したり、情報が改ざんされたりするおそれがあり、また工事現場の写真と実際の工事対象物の施工データが一致しないなどのおそれがある。
【０００３】
近年の情報技術の進展に伴い、日付データ、撮影箇所データ、工種データ等に基づいて一次元または二次元コードからなるタグデータを含む画像データを作成して保存し、後日、このタグデータを抽出、デコードして日付データや撮影箇所データなどの工事情報を取得するという工事写真管理装置および工事写真管理方法が開示されている（特許文献１）。
【０００４】
また、工事情報を書込み・読出し可能なＩＣタグを予め生コンクリートに投入し、コンクリート打設後、工事情報を前記ＩＣタグに書込み、読出す品質管理システムが知られている（特許文献５，６）。また、ＩＣタグから取得した位置情報を写真データに関連付けして記憶手段に記憶させることにより、施工箇所と関連した写真データの管理を行う施工状態記録方法および装置、位置情報登録装置も開示されている（特許文献２）。
【０００５】
また、ＧＰＳシステムを利用して得られる現在の撮影位置データとメモリカードに記録された撮影位置データとが一致するように次回の工事施工中の撮影時にカメラを移動させるようにした工事写真用デジタルカメラ（特許文献３）、そのほかＩＣタグに記憶されている部材仕様情報とパソコンに記憶されている部材仕様情報とを照合することで建築部材の確認を行う構成の建築現場における品質確認システム（特許文献４）なども開示されている。
【０００６】
上述したＩＣタグを利用して工事情報を書込み、読出す方法は、経年により書類や図面の紛失があっても、ＩＣタグ情報の送受信機能で工事に関する情報を得ることができる利点があるものの、この種のＩＣタグには例えば写真データのように大容量のデータを記憶させるには難があり、写真データは別体の記録装置に保存せざるを得ない。この場合、工事報告書の作成に際しては、ＩＣタグにはデータ量の小さいＩＤ情報のみを記憶させ、ＩＤ情報をリーダライタで読出し、一方、撮影装置で工事現場を撮影した画像データはデータサーバなどの記録装置に保存し、データ処理装置により、リーダライタで読出したＩＤ情報と前記記録装置内の画像データを紐付けして表示装置に表示するという方法がとられる。
【先行技術文献】
【特許文献】
【０００７】
【特許文献１】特開２０１０−１６５２６３号公報
【特許文献２】特開２００９−２７５４０６号公報
【特許文献３】特開２００９−２５３６５９号公報
【特許文献４】特開２００５−３２７１７０号公報
【特許文献５】特開２００８−６３９００号公報
【特許文献６】特開２００９−２８２６８８号公報
【発明の概要】
【発明が解決しようとする課題】
【０００８】
上述した特許文献１の工事写真管理装置および管理方法は、手作業による工事情報の取りまとめや工事報告書の作成といった手間のかかる作業は軽減されるものの、撮影した写真データはデータサーバなど工事現場から離れた記録装置に送られて保存されるため、後々、写真データを見たいと思ってもすでに記録装置から消されてしまっているといった問題があった。また、施工場所において工事データ（特に大容量の写真データ）を見ようとしたときには記録装置にアクセスする必要があり、施工場所が通信エリア外であるとき、例えば工事が山奥の通信環境が悪い場所で行われている場合にはデータサーバから写真データを取得できないという問題が生じる。また、記録装置の写真データが改ざんされるおそれがある。
【０００９】
本発明は、ＩＣタグ内の不揮発性記憶装置の容量を超える大きな容量の工事データ（特に写真データ）でも、施工現場あるいは建造物の検証現場でＩＣタグに入力でき、また前記現場で直接データの読出しが可能な工事画像データ記録システムを提供することを目的とする。
【００１０】
本発明はまた、ＩＣタグを建造物などの検証箇所の内部に効率よく配置でき、また、データ入出力時のＩＣタグの指向性を確保して確実にデータの書込み・読出しができるようにした構造物埋設用データ記録ユニットを提供することを目的とする。
【課題を解決するための手段】
【００１１】
本発明によれば、構造物内に埋め込まれ、工事画像データを記録するＩＣタグと、前記ＩＣタグに対し工事画像データの書込み・読出しを行うリーダライタと、前記ＩＣタグに書込まれる工事画像データの容量最適化を行うとともに前記リーダライタで読出された工事画像データの復元を行うデータ処理装置と、前記工事画像データを表示する表示装置および前記データ処理装置へ画像データを入力する撮影装置とを有することを特徴とする工事画像データ記録システムが提供される。
【００１２】
本発明の１つの形態によれば、前記データ処理装置は、前記ＩＣタグ内の不揮発性記憶装置の容量に収まるようにデータ圧縮処理をするデータ最適化手段を有し、前記データ最適化手段で圧縮した画像データを前記リーダライタから前記ＩＣタグに書込み、前記リーダライタで前記ＩＣタグから読出した圧縮データを前記データ最適化手段で復元して前記表示装置に表示することを特徴とする。
【００１３】
また本発明の他の形態によれば、前記データ処理装置は、前記ＩＣタグ内の不揮発性記憶装置の容量に収まるようにデータを複数に分割するデータ最適化手段を有し、前記データ最適化手段で分割した画像データを接続情報とともに複数の前記ＩＣタグに書込み、前記リーダライタで複数の前記ＩＣタグから読出した複数の分割データを前記データ最適化手段で前記接続情報に基づいて元の画像データに復元して前記表示装置に表示することを特徴とする。
【００１４】
さらに本発明の他の形態によれば、前記データ処理装置は、前記ＩＣタグ内の不揮発性記憶装置の容量に収まるようにデータを圧縮するとともに複数に分割するデータ最適化手段を有し、前記データ最適化手段でデータ圧縮、分割した画像データを接続情報とともに複数の前記ＩＣタグに書込み、前記リーダライタで複数の前記ＩＣタグから読出した複数の圧縮、分割データを前記データ最適化手段で前記接続情報に基づいて元の画像データに復元して前記表示装置に表示することを特徴とする。
【００１５】
本発明に係る構造物埋設用データ記録ユニットは、ＩＣタグをコンクリートブロックに埋め込み、前記コンクリートブロックを構造物の所望箇所に埋設することを特徴とする。
【００１６】
また本発明の他の形態によれば、前記ＩＣタグは、そのデータ入出力面の向きを前記コンクリートブロックの外面から認識できるように、該コンクリートブロックに対して位置および向きを規定して該コンクリートブロック内に埋め込まれることを特徴とする。
【００１７】
本発明のさらに他の形態によれば、複数個のＩＣタグをデータの書込み、読出しに対して互いに干渉しない間隔で、かつ向きを揃えて前記コンクリートブロックに埋め込むことを特徴とする。
【００１８】
本発明のさらに他の形態によれば、前記ＩＣタグにデータ圧縮処理された画像データが書込まれることを特徴とする。
【００１９】
本発明のさらに他の形態によれば、複数個の前記ＩＣタグにデータ分割処理された画像データが接続情報とともに書込まれることを特徴とする。
【００２０】
本発明のさらに他の形態によれば、複数個の前記ＩＣタグにデータ圧縮処理とともにデータ分割処理された画像データが接続情報とともに書込まれることを特徴とする。
【００２１】
本発明のさらに他の形態によれば、前記構造物はコンクリート構造物であることを特徴とする。
【発明の効果】
【００２２】
本発明に係る工事画像データ記録システムは、大容量の写真データでも施工現場などでＩＣタグに入力でき、また検証現場でＩＣタグから読出して元の写真に復元、表示することができる。
【００２３】
また、多数のＩＣタグをランダムに生コンなどの混練物に投入する必要がなく、目的の検証箇所に、かつ指向性を揃えて確実に埋設できる。
【図面の簡単な説明】
【００２４】
【図１】ＩＣタグを用いた工事画像データ記録システムの従来例を示すブロック図である。
【図２】本発明の実施例１に係る工事画像データ記録システムのブロック図である。
【図３】本発明の実施例２に係る工事画像データ記録システムのブロック図である。
【図４】本発明の実施例３に係る構造物埋設用データ記録ユニットの正面図である。
【図５】本発明の実施例４に係る構造物埋設用データ記録ユニットの正面図である。
【図６】本発明の実施例５に係る構造物埋設用データ記録ユニットの使用例を示す概略斜視図である。
【図７】本発明の実施例５に係る構造物埋設用データ記録ユニットの使用例を示す概略斜視図である。
【図８】本発明の各実施例に適用されるＩＣタグの一例を示した概略的な斜視図である。
【図９】本発明の各実施例に係る工事画像データ記録システムを実現するリーダライタとデータ処理装置の概略的な斜視図である。
【発明を実施するための形態】
【００２５】
次に、本発明を各種の実施例について図面を参照しつつ具体的に説明する。なお、以下の実施例はいずれもコンクリート建造物に適用した例であるが、本発明の管理システムは必ずしもこのような建造物だけでなく、橋梁、トンネル等の構築物など、すべてのコンクリート構造物、モルタル構造物などの内部検証、品質管理にも同様に採用可能である。
【００２６】
本発明の実施例に先立ち、図１に示すＩＣタグ２を利用した従来の工事画像データ記録システムについて説明する。従来のシステムにおいてデータ量大の写真情報等画像データを保存するためにはＩＣタグ２の不揮発性記憶装置４の記憶容量が足りないことから、ＩＣタグ２にはＩＣタグ２と画像データを紐付けるためのＩＤ情報のみを記憶し、画像データはデータサーバなど工事現場とは異なる場所にある記録容量の大きな記録装置６にＩＤ情報と紐付けた状態で保存していた。一方、写真情報等画像データを表示装置８に表示させる際にデータ処理装置７は、記録装置６にアクセスし、リーダライタ３によりＩＣタグ２から読出されたＩＤ情報と、記録装置６に保存された画像データを紐付けて、ＩＣタグ２に対応する画像データを表示装置８に表示させていた。このような方法では写真情報は工事現場から離れた記録装置６に保存されるため、情報を見たいときはその都度記録装置６にアクセスする必要があり、また保存情報の消失や改ざん、あるいは通信エリアの関係でアクセス不能が生じた。
【実施例１】
【００２７】
本発明の実施例について説明する。実施例１を示す図２を参照すれば、実施例１に係る工事画像データ記録システムは、コンクリート等からなる建造物１の基礎部分等所定の場所に埋め込まれるＩＣタグ２と、該ＩＣタグ２にデータを書込み・読出すリーダライタ３と、データ最適化手段１１が構築されてなるデータ処理装置１０、表示装置８及び撮影装置５とで構成される。
【００２８】
ＩＣタグ２は、不揮発性記憶装置４、制御部(図示省略)、アンテナ（図示省略）等を内蔵しているＲＦＩＤタグである。データ処理装置１０はＣＰＵ、ＲＡＭ、入力手段等を備えたコンピュータであり、データ処理装置１０には、データ最適化手段１１、画像データ表示手段（図示省略）等が構築されている。撮影装置５は撮影した写真をデータ化してデータ処理装置１０へ入力するのに適した装置、例えばデジタルカメラなどで構成される。表示装置８は画像データを視覚化するのに適した装置、例えばコンピュータに接続・搭載されたモニタで構成される。
【００２９】
実施例１においてデータ最適化手段１１は、データを圧縮処理し、圧縮したデータを解凍処理する機能を有するデータ圧縮プログラム及びデータ解凍プログラムである。該データ圧縮プログラム及びデータ解凍プログラムの一例を示せば、データ圧縮プログラムはデータ処理装置１０に大容量のデータが取り込まれると、設定した記憶容量、あるいは書込み先の不揮発性記憶装置４の記憶容量(例えば８KByte)以内となるように圧縮処理する。一方データ解凍プログラムはデータ処理装置１０に圧縮されたデータが取り込まれると、元のデータ容量に解凍処理する。尚、データ圧縮・解凍の方法には、ランレングス法、ハフマン法、ＬＺ７７法等様々なデータ圧縮方法があるが、その方法は限定されるものではない。
【００３０】
実施例１に係る工事画像データ記録システムの動作を説明する。ＩＣタグ２に画像データを書込む動作において、撮影装置５より撮影された免震構造部分や鉄筋等の工事画像データがデータ処理装置１０に取り込まれると、データ処理装置１０のデータ最適化手段１１は、該画像データを設定したデータ容量あるいはＩＣタグ２の記憶容量に適したデータ量に圧縮処理するデータ容量の最適化処理を行う。データ処理装置１０は、該圧縮画像データをリーダライタ３に伝達し、リーダライタ３はＩＣタグ２に対し無線通信により圧縮画像データを書込み、該圧縮画像データは不揮発性記憶装置４に記憶される。
【００３１】
一方、ＩＣタグ２から画像データを読出す動作において、リーダライタ３が起動状態でＩＣタグ２の通信範囲に位置されると、ＩＣタグ２は起電され不揮発性記憶装置４に記憶された圧縮画像データがリーダライタ３により読出される。リーダライタ３からデータ処理装置１０に圧縮画像データが取り込まれると、データ処理装置１０のデータ最適化手段１１は、圧縮画像データを解凍処理して元の画像データの復元を行う。データ処理装置１０は、画像データ表示手段により画像データを表示装置８に表示する。
【００３２】
なお、ＩＣタグ２に書込まれるデータは、工事現場を撮影した工事画像データに限られるものではない。例えば、データ処理装置１０に接続・搭載された入力装置等により、日付データ、撮影箇所データ、工種データ等の工事テキストデータを入力し、これらの工事テキストデータと工事画像データを紐付した工事データをデータ最適化手段１１により適切なデータ容量に圧縮処理した上でＩＣタグ２に書込むようにしてもよい。あるいは上記テキストデータと圧縮画像データを紐付して工事データとしてＩＣタグ２に書込むようにしてもよい。特に、撮影装置５あるいはデータ処理装置１０にグローバル・ポジショニング・システム（ＧＰＳ）を搭載した場合には、該システムにより計測された位置データもデータ処理装置１０に取り込まれ、該位置データを含めた工事データをＩＣタグ２に書込むことができる。
【００３３】
このようにして実施例１ではＩＣタグ２の記録容量を超える工事画像データを他の工事に関連するデータとともにリーダライタ３でＩＣタグ２に書込むことができ、またこれらのデータも工事現場でリーダライタ３およびデータ処理装置１０で復元して表示装置８に表示できるので、工事が通信エリア外の山間部などで行われている場合であっても、大容量のデータの書込み・読出しを工事現場で容易に行うことができ、データの改ざん、消失、紛失などの危険も生じない。対象の建造物と検証データの不一致という事態も防止される。
【実施例２】
【００３４】
図３に示す実施例２では、コンクリート等からなる建造物１に複数のＩＣタグ２（１），２（２），・２（ｎ）が埋め込まれており（実施例１でも建物全体として複数のＩＣタグが埋め込まれ得る）、後述するように分割した個々のデータがそれぞれ対応するＩＣタグ２（１），２（２），・２（ｎ）に書込まれる。
【００３５】
実施例２に係る工事画像データ記録システムにおけるＩＣタグ２、リーダライタ３、データ処理装置１０、撮影装置５、表示装置８の構成は実施例１と同様であるためその説明を省略する。データ処理装置１０に構築されたデータ最適化手段１２は写真等の大容量のデータを複数データに分割処理する機能及び分割処理されたデータを復元処理する機能を有するデータ分割プログラム及びデータ復元プログラムである。データ分割及びデータ復元プログラムの一例を示せば、データ処理装置１０に大容量のデータが取り込まれると、設定した記憶容量、あるいは書込み先の不揮発性記憶装置の記憶容量(例えば８KByte)以内となるようにデータを分割処理し、次に分割された第１のデータにはこれに続く第２のデータの接続情報を埋め込み、第２のデータにはこれに続く第３のデータの接続情報を埋め込む。これをデータ容量と分割されるデータ容量に合わせてｎ回繰り返し、ｎ個目のデータには接続情報を埋め込まないかあるいは最終データであることを示す情報を埋め込むことで最終データであることを明らかにする。一方データ復元プログラムはデータ処理装置１０に分割されたデータが取り込まれるとそれぞれのデータを、先のデータ分割プログラムにより埋め込んだ接続情報により紐付けることで画像データを元の状態に復元処理する。なお、データ分割・復元の方法はこれに限られるものでなく、分割データの接続情報をＩＣタグ２側に記憶させるようにしてもよい。
【００３６】
実施例２に係る工事画像データ記録システムの動作を説明する。ＩＣタグ２に画像データを書込む動作において、撮影装置５より撮影された工事現場の画像データがデータ処理装置１０に取り込まれると、データ処理装置１０のデータ最適化手段１２は、該画像データを設定したデータ容量あるいはＩＣタグ２の不揮発性記憶装置４の記憶容量に適したデータ量に分割処理するデータ容量の最適化処理を行うとともに分割画像データに接続情報を埋め込む処理を行う。データ処理装置１０は、該分割画像データをリーダライタ３に伝達し、リーダライタ３はＩＣタグ２（１），２（２），・２（ｎ）に対し無線通信により分割画像データを書込み、該分割画像データは不揮発性記憶装置４に記憶される。
【００３７】
各ＩＣタグ２（１），２（２），・２（ｎ）からのデータの読出しでは、リーダライタ３で複数のＩＣタグ２（１），２（２），・２（ｎ）にアクセスし、それぞれの分割画像データを読出し、データ処理装置１０のデータ最適化手段１２で各分割画像データを接続情報に基づいて復元処理して元の画像データの復元を行う。データ処理装置１０は、画像データ表示手段により画像データを表示装置８に表示する。なお、画像データ以外の小容量の工事テキストデータも同様に画像データに紐付して同時に表示装置８に表示することができることは実施例１と同様である。
【００３８】
実施例２ではデータ最適化手段１２でデータを分割する場合を説明したが、実施例２の変形例として分割と同時にデータの圧縮を行い、各々のＩＣタグに分割・圧縮データを接続情報とともに書込むようにしてもよい。データの読出し、表示の場合はデータ処理装置１０のデータ最適化手段１２で接続情報に基づき各データの復元と解凍を行って表示装置８に表示する。この変形例ではよりデータ量の大きい高画質画像の書込み・読出しが可能となる。
【００３９】
本発明の実施例３の説明に先立ち、従来のＩＣタグの埋設方法について説明する。これまでＩＣタグは、生コンクリート工場において投入機により撹拌、混練中の生コンクリート内に投入された後、コンクリートミキサー車等により工事現場に搬送され、コンクリート建造物として打設されていた。したがって、ＩＣタグは建造物の壁面内部や床面内部にランダムに埋め込まれるため、建物外部から探索装置等によりＩＣタグを探索した上で、リーダライタによりデータの書込み・読出しが行われていた。
【実施例３】
【００４０】
図４は、実施例１または２に係る工事画像データ記録システムに用いる構造物埋設用データ記録ユニット２０を示した図である。構造物埋設用データ記録ユニット２０は、１つのＩＣタグ２１がコンクリートブロック２２内に収納されており、このＩＣタグ２１を内蔵したコンクリートブロック２２が施工現場でコンクリート構造物内に埋設される。図８に例示するように、ＩＣタグ２１は、抗アルカリ性の円柱状樹脂製外殻体２３の内部にＩＣタグ本体部２４が封入されている。このＩＣタグ本体部２４は不揮発性記憶装置、制御回路、変復器、外部からの電波を受信しこれと共振して電流を発生する電源部等を備えたＩＣチップ２４ｃをフェライトコア２４ａに実装し、これにアンテナコイル２４ｂを接続したＲＦＩＤタグである。樹脂製外殻体２３の外周部にはコンクリートブロックとの密着性、親和性を確保するための複数本の凹条２５が形成されている。ＩＣタグ２１の信号入出力面２４ｄは円柱形外殻体２３の上下端面２３ａに対峙している。なお、本発明に適用されるＩＣタグは図示の形態のものに限るものではなく、他の形態のもの、例えば特開２００９−２８２６８８号公報に記載された形態のものであってもよい。
【００４１】
このようにＩＣタグ２１を封入したコンクリートブロック２２からなる構造物埋設用データ記録ユニット２０は、対象となるコンクリート建造物の所望箇所に埋設される。この場合、ＩＣタグ２１のデータ入出力面（データ送受信面）の向きがコンクリートブロック２２の外面から特定できるようにすることにより、コンクリートブロックの埋め込みに際し、リーダライタに対するＩＣタグの指向性を確保し得るようにコンクリートブロックを建造物に埋設することができる。例えば、コンクリートブロックの外面にＩＣタグの入出力面に対応する印を付ける、あるいはコンクリートブロックが円柱体の場合には円柱体の両端面とＩＣタグの信号入出力面を合せるなどしてＩＣタグの指向性を確保する。
【００４２】
このようにＩＣタグをコンクリートブロックに封入して構造物の検証し易い適切な箇所に埋めておくことにより、施工が完了した後では外部から見えなくなってしまう内容（免震構造部分や柱の鉄筋本数、鉄筋の太さ、鉄筋間隔など）を施工中に撮影した工事画像データを施工後にコンクリートブロックから得ることができ、これによって構造物と工事画像データが分離せずに保存することができる。
【実施例４】
【００４３】
図５は、実施例１または２に係る工事画像データ記録システムに用いる構造物埋設用データ記録ユニット２６を示した図である。構造物埋設用データ記録ユニット２６はコンクリートブロック２２に複数個のＩＣタグ２１（１），２１（２），・２１（ｎ）を埋め込んでいる。この場合、隣接したＩＣタグどうしの間隔ｄは隣りのＩＣタグの影響・干渉を受けない距離とし、かつそれぞれのＩＣタグの指向性にばらつきが生じないように各ＩＣタグ２１（１），２１（２），・２１（ｎ）の向きを揃えて配置する。  
【００４４】
コンクリートブロック２２は、対象となる構造物の形態に応じて構造物の内部に埋め込み易い形状、大きさの物が選ばれる。例えば図６の２６（ａ），図７の２６（ｂ）に例示されるように、ＩＣタグの指向性を定め易い直方体形あるいは円柱形のコンクリートブロック２２（ａ）、２２（ｂ）が好適であり、ＩＣタグ２１を該ブロック内に並列させることでアンテナの指向性を確保している。
【００４５】
この構造物埋設用データ記録ユニット２６は、とりわけ実施例２に係る複数の分割画像データを記憶させる工事画像データ記録システムに用いるのに適している。また、書込まれるデータが１つのＩＣタグに収まる場合には、例えば構造物のＡ箇所の画像データはコンクリートブロック２２内の第１のＩＣタグ２１（１）に、Ｂ箇所の画像データは第２のＩＣタグ２１（２）に、Ｃ箇所のデータは第３のＩＣタグ２１（３）にというように複数の異なる画像データを１つのコンクリートブロック２２、２３内の複数のＩＣタグに区分けして書込むように用いることもできる。
【００４６】
なお、ＩＣタグ２１を封入するブロックはコンクリート材に限られるものではなく、埋め込まれる構造物に影響を与えないよう構造物と同じ素材、例えばモルタル等を選択することができ、また、その表面は構造物との密着性、親和性を高めるため表面を粗面に形成することができる。例えば、コンクリートブロック２２からなる構造物埋設用データ記録ユニット２０を構造物の基礎部分に設置した状態でコンクリート等を流し込み打設すると、構造物埋設用データ記録ユニット２０は構造物と一体に埋設される。
【実施例５】
【００４７】
図９に示すのは、実施例１または２に係る工事画像データ記録システムを実現するためのデータ処理装置１０、撮影装置５、表示装置８及びリーダライタ３の一例である。データ処理装置１０は、撮影装置５としてのレンズ５１とデジタルカメラ機能、表示装置８としてのモニタ機能、入力手段としてのタッチパネル等を備えたタブレット型コンピュータであり、無線通信部３１を有するリーダライタ３が接続される。データ処理装置１０には、画像データ表示手段、リーダライタ操作入力手段としてのブラウザが搭載されている。撮影装置５で、工事現場の画像を撮影すると該画像データはデータ処理装置１０の記憶装置に保存される。ブラウザのファイル選択アイコンを操作し該画像データを読出すと、該画像データはブラウザの画像表示位置に紐付けて表示される。また、入力された工事関連データ等のテキストデータはテキストデータ表示位置に表示されるとともに、データ最適化手段が動作し実施例１または２に示すデータ最適化処理（圧縮・分割処理）がなされ、書込みアイコンを操作するとリーダライタ３はリーダライタ３の通信範囲に存在するＩＣタグ２にデータを書込む。
【００４８】
一方、ＩＣタグ２の通信距離にリーダライタ３を位置させた状態で読込みアイコンを操作するとリーダライタ３はＩＣタグ２からデータを読出すとともに、データ最適化手段が動作し実施例１または２に示すデータ最適化処理（解凍・復元処理）がなされ、画像データは、ブラウザの画像表示位置３１に紐付けて表示され、工事関連データ等のテキストデータはテキストデータ表示位置に表示される。なお、データ処理装置１０の構成と操作手段はこれらに限られるものではない。
【符号の説明】
【００４９】
１  建造物
２  ＩＣタグ
３  リーダライタ
３１  無線通信部
４  不揮発性記憶装置
５  撮影装置
５１  レンズ
６  記録装置
７，１０  データ処理装置
８  表示装置
１１,１２  データ最適化手段
２０,２６  構造物埋設用データ記録ユニット
２１  ＩＣタグ
２２  コンクリートブロック
２３  樹脂製外殻体
２４  ＩＣタグ本体部
【図１】
2014118766.tif 000003
【図２】
2014118766.tif 000004
【図３】
2014118766.tif 000005
【図４】
2014118766.tif 000006
【図５】
2014118766.tif 000007
【図６】
2014118766.tif 000008
【図７】
2014118766.tif 000009
【図８】
2014118766.tif 000010
【図９】
2014118766.tif 000011
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
コンクリート構造物内に埋め込まれるＩＣタグと、前記ＩＣタグに対し工事画像データの書込み・読出しを行うリーダライタと、前記ＩＣタグに書込まれる工事画像データの容量最適化を行うとともに前記リーダライタで読出された容量最適化した工事画像データを元の工事画像データに復元するデータ処理装置と、前記データ処理装置で復元した工事画像データを表示する表示装置および前記データ処理装置へ画像データを入力する撮影装置とを有することを特徴とする工事画像データ記録システム。
【請求項２】
前記データ処理装置は、前記撮影装置で撮影した画像データを前記ＩＣタグ内の不揮発性記憶装置の容量に収まるようにデータ圧縮処理をするデータ最適化手段を有し、前記データ最適化手段でデータ圧縮処理をした圧縮画像データを前記リーダライタから前記ＩＣタグに書込み、前記リーダライタで前記ＩＣタグから読出した前記圧縮画像データを前記データ最適化手段で元の画像データに復元して前記表示装置に表示することを特徴とする請求項１に記載の工事画像データ記録システム。
【請求項３】
前記データ処理装置は、前記撮影装置で撮影された画像データを前記ＩＣタグ内の不揮発性記憶装置の容量に収まるように複数の分割画像データにデータ分割処理をするデータ最適化手段を有し、前記データ最適化手段でデータ分割処理をした分割画像データを接続情報とともに前記リーダライタから複数の前記ＩＣタグに書込み、前記リーダライタで複数の前記ＩＣタグから読出した複数の前記分割画像データを前記データ最適化手段で前記接続情報に基づいて元の画像データに復元して前記表示装置に表示することを特徴とする請求項１に記載の工事画像データ記録システム。
【請求項４】
前記データ処理装置は、前記撮影装置で撮影された画像データを前記ＩＣタグ内の不揮発性記憶装置の容量に収まるようにデータ圧縮処理をするとともに複数の圧縮分割画像データにデータ分割処理をするデータ最適化手段を有し、前記データ最適化手段でデータ圧縮処理およびデータ分割処理をした圧縮分割画像データを接続情報とともに前記リーダライタから複数の前記ＩＣタグに書込み、前記リーダライタで複数の前記ＩＣタグから読出した複数の前記圧縮分割画像データを前記データ最適化手段で前記接続情報に基づいて元の画像データに復元して前記表示装置に表示することを特徴とする請求項１に記載の工事画像データ記録システム。
【請求項５】
前記データ処理装置は、前記工事画像データとそれ以外の工事テキストデータとを紐付した工事データを前記データ最適化手段により容量最適化して前記リーダライタにより前記ＩＣタグに書込むとともに、この容量最適化された工事データを該ＩＣタグから読出して元の工事データに復元することを特徴とする請求項１乃至４に記載の工事画像データ記録システム。
【請求項６】
ＩＣタグを、コンクリートブロックに埋め込み、前記コンクリートブロックをコンクリート構造物の所望箇所に埋設することを特徴とする構造物埋設用データ記録ユニット。
【請求項７】
前記ＩＣタグを、コンクリートブロックに対する信号送受信方向の向きを規定して該コンクリートブロック内に埋め込むことを特徴とする請求項６に記載の構造物埋設用データ記録ユニット。
【請求項８】
複数個のＩＣタグを、データの書込み、読出しに対して互いに干渉しない間隔で、かつデータの書込み、読出し方向の面を揃えて前記コンクリートブロックに埋め込むことを特徴とする請求項６または請求項７に記載の構造物埋設用データ記録ユニット。
【請求項９】
前記ＩＣタグにデータ圧縮処理された圧縮画像データが書込まれることを特徴とする請求項６乃至８のいずれかに記載の構造物埋設用データ記録ユニット。
【請求項１０】
複数個の前記ＩＣタグにデータ分割処理された分割画像データが接続情報とともに書込まれることを特徴とする請求項６乃至９のいずれかに記載の構造物埋設用データ記録ユニット。
【請求項１１】
複数個の前記ＩＣタグにデータ圧縮処理とともにデータ分割処理された圧縮分割画像データが接続情報とともに書込まれることを特徴とする請求項６乃至１０のいずれかに記載の構造物埋設用データ記録ユニット。
【手続補正２】
【補正対象書類名】明細書
【補正対象項目名】全文
【補正方法】変更
【補正の内容】
【発明の詳細な説明】
【技術分野】
【０００１】
本発明は、セメント製品やモルタルその他コンクリート構造物の品質管理に用いられる工事画像データ記録システムおよび構造物埋設用データ記録ユニットに関する。
【背景技術】
【０００２】
例えば土木関連のモルタル、セメント製品やコンクリート構造物にあっては、経年後の点検、補修あるいは地震などの災害時に構造物の強度や工事の履歴などの情報を検証する必要がある。このような情報は従来、施工時の図面とともに書面に記録して管理しており、一般には建築物の施工者が各施工工事毎に施工工程を所定の台帳に記帳することにより工事報告書を作成している。工事報告書には工事現場の写真を添付するのが普通であるが、この写真データは撮影対象となる箇所に工事名称、日時、場所、工法などを記載したボードを配置して写真に撮り、この写真とともに所定事項を工事台帳に記載して工事報告書としている。しかし、このような方法では、書面を紛失したり、情報が改ざんされたりするおそれがあり、また工事現場の写真と実際の工事対象物の施工データが一致しないなどのおそれがある。
【０００３】
近年の情報技術の進展に伴い、日付データ、撮影箇所データ、工種データ等に基づいて一次元または二次元コードからなるタグデータを含む画像データを作成して保存し、後日、このタグデータを抽出、デコードして日付データや撮影箇所データなどの工事情報を取得するという工事写真管理装置および工事写真管理方法が開示されている（特許文献１）。
【０００４】
また、工事情報を書込み・読出し可能なＩＣタグを予め生コンクリートに投入し、コンクリート打設後、工事情報を前記ＩＣタグに書込み、読出す品質管理システムが知られている（特許文献５，６）。また、ＩＣタグから取得した位置情報を写真データに関連付けして記憶手段に記憶させることにより、施工箇所と関連した写真データの管理を行う施工状態記録方法および装置、位置情報登録装置も開示されている（特許文献２）。
【０００５】
また、ＧＰＳシステムを利用して得られる現在の撮影位置データとメモリカードに記録された撮影位置データとが一致するように次回の工事施工中の撮影時にカメラを移動させるようにした工事写真用デジタルカメラ（特許文献３）、そのほかＩＣタグに記憶されている部材仕様情報とパソコンに記憶されている部材仕様情報とを照合することで建築部材の確認を行う構成の建築現場における品質確認システム（特許文献４）なども開示されている。
【０００６】
上述したＩＣタグを利用して工事情報を書込み、読出す方法は、経年により書類や図面の紛失があっても、ＩＣタグ情報の送受信機能で工事に関する情報を得ることができる利点があるものの、この種のＩＣタグには例えば写真データのように大容量のデータを記憶させるには難があり、写真データは別体の記録装置に保存せざるを得ない。この場合、工事報告書の作成に際しては、ＩＣタグにはデータ量の小さいＩＤ情報のみを記憶させ、ＩＤ情報をリーダライタで読出し、一方、撮影装置で工事現場を撮影した画像データはデータサーバなどの記録装置に保存し、データ処理装置により、リーダライタで読出したＩＤ情報と前記記録装置内の画像データを紐付けして表示装置に表示するという方法がとられる。
【先行技術文献】
【特許文献】
【０００７】
【特許文献１】特開２０１０−１６５２６３号公報
【特許文献２】特開２００９−２７５４０６号公報
【特許文献３】特開２００９−２５３６５９号公報
【特許文献４】特開２００５−３２７１７０号公報
【特許文献５】特開２００８−６３９００号公報
【特許文献６】特開２００９−２８２６８８号公報
【発明の概要】
【発明が解決しようとする課題】
【０００８】
上述した特許文献１の工事写真管理装置および管理方法は、手作業による工事情報の取りまとめや工事報告書の作成といった手間のかかる作業は軽減されるものの、撮影した写真データはデータサーバなど工事現場から離れた記録装置に送られて保存されるため、後々、写真データを見たいと思ってもすでに記録装置から消されてしまっているといった問題があった。また、施工場所において工事データ（特に大容量の写真データ）を見ようとしたときには記録装置にアクセスする必要があり、施工場所が通信エリア外であるとき、例えば工事が山奥の通信環境が悪い場所で行われている場合にはデータサーバから写真データを取得できないという問題が生じる。また、記録装置の写真データが改ざんされるおそれがある。
【０００９】
本発明は、ＩＣタグ内の不揮発性記憶装置の容量を超える大きな容量の工事データ（特に写真データ）でも、施工現場あるいは建造物の検証現場でＩＣタグに入力でき、また前記現場で直接データの読出しが可能な工事画像データ記録システムを提供することを目的とする。
【００１０】
本発明はまた、ＩＣタグを建造物などの検証箇所の内部に効率よく配置でき、また、データ入出力時のＩＣタグの指向性を確保して確実にデータの書込み・読出しができるようにした構造物埋設用データ記録ユニットを提供することを目的とする。
【課題を解決するための手段】
【００１１】
本発明によれば、コンクリート構造物内に埋め込まれるＩＣタグと、前記ＩＣタグに対し工事画像データの書込み・読出しを行うリーダライタと、前記ＩＣタグに書込まれる工事画像データの容量最適化を行うとともに前記リーダライタで読出された容量最適化した工事画像データを元の工事画像データに復元するデータ処理装置と、前記データ処理装置で復元した工事画像データを表示する表示装置および前記データ処理装置へ画像データを入力する撮影装置とを有することを特徴とする工事画像データ記録システムが提供される。
【００１２】
本発明の１つの形態によれば、前記データ処理装置は、前記撮影装置で撮影した画像データを前記ＩＣタグ内の不揮発性記憶装置の容量に収まるようにデータ圧縮処理をするデータ最適化手段を有し、前記データ最適化手段でデータ圧縮処理をした圧縮画像データを前記リーダライタから前記ＩＣタグに書込み、前記リーダライタで前記ＩＣタグから読出した前記圧縮画像データを前記データ最適化手段で元の画像データに復元して前記表示装置に表示することを特徴とする。
【００１３】
また本発明の他の形態によれば、前記データ処理装置は、前記撮影装置で撮影された画像データを前記ＩＣタグ内の不揮発性記憶装置の容量に収まるように複数の分割画像データにデータ分割処理をするデータ最適化手段を有し、前記データ最適化手段でデータ分割処理をした分割画像データを接続情報とともに前記リーダライタから複数の前記ＩＣタグに書込み、前記リーダライタで複数の前記ＩＣタグから読出した複数の前記分割画像データを前記データ最適化手段で前記接続情報に基づいて元の画像データに復元して前記表示装置に表示することを特徴とする。
【００１４】
さらに本発明の他の形態によれば、前記データ処理装置は、前記撮影装置で撮影された画像データを前記ＩＣタグ内の不揮発性記憶装置の容量に収まるようにデータ圧縮処理をするとともに複数の圧縮分割画像データにデータ分割処理をするデータ最適化手段を有し、前記データ最適化手段でデータ圧縮処理およびデータ分割処理をした圧縮分割画像データを接続情報とともに前記リーダライタから複数の前記ＩＣタグに書込み、前記リーダライタで複数の前記ＩＣタグから読出した複数の前記圧縮分割画像データを前記データ最適化手段で前記接続情報に基づいて元の画像データに復元して前記表示装置に表示することを特徴とする。
【００１５】
さらに本発明の他の形態によれば、前記データ処理装置は、前記工事画像データとそれ以外の工事テキストデータとを紐付した工事データを前記データ最適化手段により容量最適化して前記リーダライタにより前記ＩＣタグに書込むとともに、この容量最適化された工事データを該ＩＣタグから読出して元の工事データに復元することを特徴とする。
【００１６】
本発明に係る構造物埋設用データ記録ユニットは、ＩＣタグを、コンクリートブロックに埋め込み、前記コンクリートブロックをコンクリート構造物の所望箇所に埋設することを特徴とする。
【００１７】
また本発明の他の形態によれば、前記ＩＣタグを、そのデータ入出力面の向きを前記コンクリートブロックの外面から認識できるように、該コンクリートブロックに対して位置および向きを規定して該コンクリートブロック内に埋め込むことを特徴とする。
【００１８】
本発明のさらに他の形態によれば、複数個のＩＣタグを、データの書込み、読出しに対して互いに干渉しない間隔で、かつデータの書込み、読出し方向の面を揃えて前記コンクリートブロックに埋め込むことを特徴とする。
【００１９】
本発明のさらに他の形態によれば、前記ＩＣタグにデータ圧縮処理された圧縮画像データが書込まれることを特徴とする。
【００２０】
本発明のさらに他の形態によれば、複数個の前記ＩＣタグにデータ分割処理された分割画像データが接続情報とともに書込まれることを特徴とする。
【００２１】
本発明のさらに他の形態によれば、複数個の前記ＩＣタグにデータ圧縮処理とともにデータ分割処理された圧縮分割画像データが接続情報とともに書込まれることを特徴とする。
【発明の効果】
【００２２】
本発明に係る工事画像データ記録システムは、大容量の写真データでも施工現場などでＩＣタグに入力でき、また検証現場でＩＣタグから読出して元の写真に復元、表示することができる。
【００２３】
また、多数のＩＣタグをランダムに生コンなどの混練物に投入する必要がなく、目的の検証箇所に、かつ指向性を揃えて確実に埋設できる。
【図面の簡単な説明】
【００２４】
【図１】ＩＣタグを用いた工事画像データ記録システムの従来例を示すブロック図である。
【図２】本発明の実施例１に係る工事画像データ記録システムのブロック図である。
【図３】本発明の実施例２に係る工事画像データ記録システムのブロック図である。
【図４】本発明の実施例３に係る構造物埋設用データ記録ユニットの正面図である。
【図５】本発明の実施例４に係る構造物埋設用データ記録ユニットの正面図である。
【図６】本発明の実施例５に係る構造物埋設用データ記録ユニットの使用例を示す概略斜視図である。
【図７】本発明の実施例５に係る構造物埋設用データ記録ユニットの使用例を示す概略斜視図である。
【図８】本発明の各実施例に適用されるＩＣタグの一例を示した概略的な斜視図である。
【図９】本発明の各実施例に係る工事画像データ記録システムを実現するリーダライタとデータ処理装置の概略的な斜視図である。
【発明を実施するための形態】
【００２５】
次に、本発明を各種の実施例について図面を参照しつつ具体的に説明する。なお、以下の実施例はいずれもコンクリート建造物に適用した例であるが、本発明の管理システムは必ずしもこのような建造物だけでなく、橋梁、トンネル等の構築物など、すべてのコンクリート構造物、モルタル構造物などの内部検証、品質管理にも同様に採用可能である。
【００２６】
本発明の実施例に先立ち、図１に示すＩＣタグ２を利用した従来の工事画像データ記録システムについて説明する。従来のシステムにおいてデータ量大の写真情報等画像データを保存するためにはＩＣタグ２の不揮発性記憶装置４の記憶容量が足りないことから、ＩＣタグ２にはＩＣタグ２と画像データを紐付けるためのＩＤ情報のみを記憶し、画像データはデータサーバなど工事現場とは異なる場所にある記録容量の大きな記録装置６にＩＤ情報と紐付けた状態で保存していた。一方、写真情報等画像データを表示装置８に表示させる際にデータ処理装置７は、記録装置６にアクセスし、リーダライタ３によりＩＣタグ２から読出されたＩＤ情報と、記録装置６に保存された画像データを紐付けて、ＩＣタグ２に対応する画像データを表示装置８に表示させていた。このような方法では写真情報は工事現場から離れた記録装置６に保存されるため、情報を見たいときはその都度記録装置６にアクセスする必要があり、また保存情報の消失や改ざん、あるいは通信エリアの関係でアクセス不能が生じた。
【実施例１】
【００２７】
本発明の実施例について説明する。実施例１を示す図２を参照すれば、実施例１に係る工事画像データ記録システムは、コンクリート等からなる建造物１の基礎部分等所定の場所に埋め込まれるＩＣタグ２と、該ＩＣタグ２にデータを書込み・読出すリーダライタ３と、データ最適化手段１１が構築されてなるデータ処理装置１０、表示装置８及び撮影装置５とで構成される。
【００２８】
ＩＣタグ２は、不揮発性記憶装置４、制御部(図示省略)、アンテナ（図示省略）等を内蔵しているＲＦＩＤタグである。データ処理装置１０はＣＰＵ、ＲＡＭ、入力手段等を備えたコンピュータであり、データ処理装置１０には、データ最適化手段１１、画像データ表示手段（図示省略）等が構築されている。撮影装置５は撮影した写真をデータ化してデータ処理装置１０へ入力するのに適した装置、例えばデジタルカメラなどで構成される。表示装置８は画像データを視覚化するのに適した装置、例えばコンピュータに接続・搭載されたモニタで構成される。
【００２９】
実施例１においてデータ最適化手段１１は、データを圧縮処理し、圧縮したデータを解凍処理する機能を有するデータ圧縮プログラム及びデータ解凍プログラムである。該データ圧縮プログラム及びデータ解凍プログラムの一例を示せば、データ圧縮プログラムはデータ処理装置１０に大容量のデータが取り込まれると、設定した記憶容量、あるいは書込み先の不揮発性記憶装置４の記憶容量(例えば８KByte)以内となるように圧縮処理する。一方データ解凍プログラムはデータ処理装置１０に圧縮されたデータが取り込まれると、元のデータ容量に解凍処理する。尚、データ圧縮・解凍の方法には、ランレングス法、ハフマン法、ＬＺ７７法等様々なデータ圧縮方法があるが、その方法は限定されるものではない。
【００３０】
実施例１に係る工事画像データ記録システムの動作を説明する。ＩＣタグ２に画像データを書込む動作において、撮影装置５より撮影された免震構造部分や鉄筋等の工事画像データがデータ処理装置１０に取り込まれると、データ処理装置１０のデータ最適化手段１１は、該画像データを設定したデータ容量あるいはＩＣタグ２の記憶容量に適したデータ量に圧縮処理するデータ容量の最適化処理を行う。データ処理装置１０は、該圧縮画像データをリーダライタ３に伝達し、リーダライタ３はＩＣタグ２に対し無線通信により圧縮画像データを書込み、該圧縮画像データは不揮発性記憶装置４に記憶される。
【００３１】
一方、ＩＣタグ２から画像データを読出す動作において、リーダライタ３が起動状態でＩＣタグ２の通信範囲に位置されると、ＩＣタグ２は起電され不揮発性記憶装置４に記憶された圧縮画像データがリーダライタ３により読出される。リーダライタ３からデータ処理装置１０に圧縮画像データが取り込まれると、データ処理装置１０のデータ最適化手段１１は、圧縮画像データを解凍処理して元の画像データの復元を行う。データ処理装置１０は、画像データ表示手段により画像データを表示装置８に表示する。
【００３２】
なお、ＩＣタグ２に書込まれるデータは、工事現場を撮影した工事画像データに限られるものではない。例えば、データ処理装置１０に接続・搭載された入力装置等により、日付データ、撮影箇所データ、工種データ等の工事テキストデータを入力し、これらの工事テキストデータと工事画像データを紐付した工事データをデータ最適化手段１１により適切なデータ容量に圧縮処理した上でＩＣタグ２に書込むようにしてもよい。あるいは上記テキストデータと圧縮画像データを紐付して工事データとしてＩＣタグ２に書込むようにしてもよい。特に、撮影装置５あるいはデータ処理装置１０にグローバル・ポジショニング・システム（ＧＰＳ）を搭載した場合には、該システムにより計測された位置データもデータ処理装置１０に取り込まれ、該位置データを含めた工事データをＩＣタグ２に書込むことができる。
【００３３】
このようにして実施例１ではＩＣタグ２の記録容量を超える工事画像データを他の工事に関連するデータとともにリーダライタ３でＩＣタグ２に書込むことができ、またこれらのデータも工事現場でリーダライタ３およびデータ処理装置１０で復元して表示装置８に表示できるので、工事が通信エリア外の山間部などで行われている場合であっても、大容量のデータの書込み・読出しを工事現場で容易に行うことができ、データの改ざん、消失、紛失などの危険も生じない。対象の建造物と検証データの不一致という事態も防止される。
【実施例２】
【００３４】
図３に示す実施例２では、コンクリート等からなる建造物１に複数のＩＣタグ２（１），２（２），・２（ｎ）が埋め込まれており（実施例１でも建物全体として複数のＩＣタグが埋め込まれ得る）、後述するように分割した個々のデータがそれぞれ対応するＩＣタグ２（１），２（２），・２（ｎ）に書込まれる。
【００３５】
実施例２に係る工事画像データ記録システムにおけるＩＣタグ２、リーダライタ３、データ処理装置１０、撮影装置５、表示装置８の構成は実施例１と同様であるためその説明を省略する。データ処理装置１０に構築されたデータ最適化手段１２は写真等の大容量のデータを複数データに分割処理する機能及び分割処理されたデータを復元処理する機能を有するデータ分割プログラム及びデータ復元プログラムである。データ分割及びデータ復元プログラムの一例を示せば、データ処理装置１０に大容量のデータが取り込まれると、設定した記憶容量、あるいは書込み先の不揮発性記憶装置の記憶容量(例えば８KByte)以内となるようにデータを分割処理し、次に分割された第１のデータにはこれに続く第２のデータの接続情報を埋め込み、第２のデータにはこれに続く第３のデータの接続情報を埋め込む。これをデータ容量と分割されるデータ容量に合わせてｎ回繰り返し、ｎ個目のデータには接続情報を埋め込まないかあるいは最終データであることを示す情報を埋め込むことで最終データであることを明らかにする。一方データ復元プログラムはデータ処理装置１０に分割されたデータが取り込まれるとそれぞれのデータを、先のデータ分割プログラムにより埋め込んだ接続情報により紐付けることで画像データを元の状態に復元処理する。なお、データ分割・復元の方法はこれに限られるものでなく、分割データの接続情報をＩＣタグ２側に記憶させるようにしてもよい。
【００３６】
実施例２に係る工事画像データ記録システムの動作を説明する。ＩＣタグ２に画像データを書込む動作において、撮影装置５より撮影された工事現場の画像データがデータ処理装置１０に取り込まれると、データ処理装置１０のデータ最適化手段１２は、該画像データを設定したデータ容量あるいはＩＣタグ２の不揮発性記憶装置４の記憶容量に適したデータ量に分割処理するデータ容量の最適化処理を行うとともに分割画像データに接続情報を埋め込む処理を行う。データ処理装置１０は、該分割画像データをリーダライタ３に伝達し、リーダライタ３はＩＣタグ２（１），２（２），・２（ｎ）に対し無線通信により分割画像データを書込み、該分割画像データは不揮発性記憶装置４に記憶される。
【００３７】
各ＩＣタグ２（１），２（２），・２（ｎ）からのデータの読出しでは、リーダライタ３で複数のＩＣタグ２（１），２（２），・２（ｎ）にアクセスし、それぞれの分割画像データを読出し、データ処理装置１０のデータ最適化手段１２で各分割画像データを接続情報に基づいて復元処理して元の画像データの復元を行う。データ処理装置１０は、画像データ表示手段により画像データを表示装置８に表示する。なお、画像データ以外の小容量の工事テキストデータも同様に画像データに紐付して同時に表示装置８に表示することができることは実施例１と同様である。
【００３８】
実施例２ではデータ最適化手段１２でデータを分割する場合を説明したが、実施例２の変形例として分割と同時にデータの圧縮を行い、各々のＩＣタグに分割・圧縮データを接続情報とともに書込むようにしてもよい。データの読出し、表示の場合はデータ処理装置１０のデータ最適化手段１２で接続情報に基づき各データの復元と解凍を行って表示装置８に表示する。この変形例ではよりデータ量の大きい高画質画像の書込み・読出しが可能となる。
【００３９】
本発明の実施例３の説明に先立ち、従来のＩＣタグの埋設方法について説明する。これまでＩＣタグは、生コンクリート工場において投入機により撹拌、混練中の生コンクリート内に投入された後、コンクリートミキサー車等により工事現場に搬送され、コンクリート建造物として打設されていた。したがって、ＩＣタグは建造物の壁面内部や床面内部にランダムに埋め込まれるため、建物外部から探索装置等によりＩＣタグを探索した上で、リーダライタによりデータの書込み・読出しが行われていた。
【実施例３】
【００４０】
図４は、実施例１または２に係る工事画像データ記録システムに用いる構造物埋設用データ記録ユニット２０を示した図である。構造物埋設用データ記録ユニット２０は、１つのＩＣタグ２１がコンクリートブロック２２内に収納されており、このＩＣタグ２１を内蔵したコンクリートブロック２２が施工現場でコンクリート構造物内に埋設される。図８に例示するように、ＩＣタグ２１は、抗アルカリ性の円柱状樹脂製外殻体２３の内部にＩＣタグ本体部２４が封入されている。このＩＣタグ本体部２４は不揮発性記憶装置、制御回路、変復器、外部からの電波を受信しこれと共振して電流を発生する電源部等を備えたＩＣチップ２４ｃをフェライトコア２４ａに実装し、これにアンテナコイル２４ｂを接続したＲＦＩＤタグである。樹脂製外殻体２３の外周部にはコンクリートブロックとの密着性、親和性を確保するための複数本の凹条２５が形成されている。ＩＣタグ２１の信号入出力面２４ｄは円柱形外殻体２３の上下端面２３ａに対峙している。なお、本発明に適用されるＩＣタグは図示の形態のものに限るものではなく、他の形態のもの、例えば特開２００９−２８２６８８号公報に記載された形態のものであってもよい。
【００４１】
このようにＩＣタグ２１を封入したコンクリートブロック２２からなる構造物埋設用データ記録ユニット２０は、対象となるコンクリート建造物の所望箇所に埋設される。この場合、ＩＣタグ２１のデータ入出力面（データ送受信面）の向きがコンクリートブロック２２の外面から特定できるようにすることにより、コンクリートブロックの埋め込みに際し、リーダライタに対するＩＣタグの指向性を確保し得るようにコンクリートブロックを建造物に埋設することができる。例えば、コンクリートブロックの外面にＩＣタグの入出力面に対応する印を付ける、あるいはコンクリートブロックが円柱体の場合には円柱体の両端面とＩＣタグの信号入出力面を合せるなどしてＩＣタグの指向性を確保する。
【００４２】
このようにＩＣタグをコンクリートブロックに封入して構造物の検証し易い適切な箇所に埋めておくことにより、施工が完了した後では外部から見えなくなってしまう内容（免震構造部分や柱の鉄筋本数、鉄筋の太さ、鉄筋間隔など）を施工中に撮影した工事画像データを施工後にコンクリートブロックから得ることができ、これによって構造物と工事画像データが分離せずに保存することができる。
【実施例４】
【００４３】
図５は、実施例１または２に係る工事画像データ記録システムに用いる構造物埋設用データ記録ユニット２６を示した図である。構造物埋設用データ記録ユニット２６はコンクリートブロック２２に複数個のＩＣタグ２１（１），２１（２），・２１（ｎ）を埋め込んでいる。この場合、隣接したＩＣタグどうしの間隔ｄは隣りのＩＣタグの影響・干渉を受けない距離とし、かつそれぞれのＩＣタグの指向性にばらつきが生じないように各ＩＣタグ２１（１），２１（２），・２１（ｎ）の向きを揃えて配置する。
【００４４】
コンクリートブロック２２は、対象となる構造物の形態に応じて構造物の内部に埋め込み易い形状、大きさの物が選ばれる。例えば図６の２６（ａ），図７の２６（ｂ）に例示されるように、ＩＣタグの指向性を定め易い直方体形あるいは円柱形のコンクリートブロック２２（ａ）、２２（ｂ）が好適であり、ＩＣタグ２１を該ブロック内に並列させることでアンテナの指向性を確保している。
【００４５】
この構造物埋設用データ記録ユニット２６は、とりわけ実施例２に係る複数の分割画像データを記憶させる工事画像データ記録システムに用いるのに適している。また、書込まれるデータが１つのＩＣタグに収まる場合には、例えば構造物のＡ箇所の画像データはコンクリートブロック２２内の第１のＩＣタグ２１（１）に、Ｂ箇所の画像データは第２のＩＣタグ２１（２）に、Ｃ箇所のデータは第３のＩＣタグ２１（３）にというように複数の異なる画像データを１つのコンクリートブロック２２、２３内の複数のＩＣタグに区分けして書込むように用いることもできる。
【００４６】
なお、ＩＣタグ２１を封入するブロックはコンクリート材に限られるものではなく、埋め込まれる構造物に影響を与えないよう構造物と同じ素材、例えばモルタル等を選択することができ、また、その表面は構造物との密着性、親和性を高めるため表面を粗面に形成することができる。例えば、コンクリートブロック２２からなる構造物埋設用データ記録ユニット２０を構造物の基礎部分に設置した状態でコンクリート等を流し込み打設すると、構造物埋設用データ記録ユニット２０は構造物と一体に埋設される。
【実施例５】
【００４７】
図９に示すのは、実施例１または２に係る工事画像データ記録システムを実現するためのデータ処理装置１０、撮影装置５、表示装置８及びリーダライタ３の一例である。データ処理装置１０は、撮影装置５としてのレンズ５１とデジタルカメラ機能、表示装置８としてのモニタ機能、入力手段としてのタッチパネル等を備えたタブレット型コンピュータであり、無線通信部３１を有するリーダライタ３が接続される。データ処理装置１０には、画像データ表示手段、リーダライタ操作入力手段としてのブラウザが搭載されている。撮影装置５で、工事現場の画像を撮影すると該画像データはデータ処理装置１０の記憶装置に保存される。ブラウザのファイル選択アイコンを操作し該画像データを読出すと、該画像データはブラウザの画像表示位置に紐付けて表示される。また、入力された工事関連データ等のテキストデータはテキストデータ表示位置に表示されるとともに、データ最適化手段が動作し実施例１または２に示すデータ最適化処理（圧縮・分割処理）がなされ、書込みアイコンを操作するとリーダライタ３はリーダライタ３の通信範囲に存在するＩＣタグ２にデータを書込む。
【００４８】
一方、ＩＣタグ２の通信距離にリーダライタ３を位置させた状態で読込みアイコンを操作するとリーダライタ３はＩＣタグ２からデータを読出すとともに、データ最適化手段が動作し実施例１または２に示すデータ最適化処理（解凍・復元処理）がなされ、画像データは、ブラウザの画像表示位置３１に紐付けて表示され、工事関連データ等のテキストデータはテキストデータ表示位置に表示される。なお、データ処理装置１０の構成と操作手段はこれらに限られるものではない。
【符号の説明】
【００４９】
１  建造物
２  ＩＣタグ
３  リーダライタ
３１  無線通信部
４  不揮発性記憶装置
５  撮影装置
５１  レンズ
６  記録装置
７，１０  データ処理装置
８  表示装置
１１,１２  データ最適化手段
２０,２６  構造物埋設用データ記録ユニット
２１  ＩＣタグ
２２  コンクリートブロック
２３  樹脂製外殻体
２４  ＩＣタグ本体部